(57)【特許請求の範囲】
【請求項１】
アンモニアを冷媒とし、アンモニアに対し非溶解性の潤滑油を用いてヒートポンプサイクルを構成するヒートポンプ装置に組み込まれ、伝熱管内にアンモニア冷媒を流し、伝熱管外側の被冷却媒体を冷却する乾式蒸発器において、
前記乾式蒸発器の伝熱管内部のアンモニア冷媒の流れ状態が、該アンモニア冷媒を気相と液相とに分離して前記液相が伝熱管底部で層流状態となる気液２層流が形成されているとともに、該伝熱管の内径より小さい外径を有するワイヤを螺旋形状にしてなるワイヤコイルを前記気液２層流を形成する伝熱管全域に配置し、前記ワイヤコイルによって前記伝熱管内の前記気液２層流にアンモニア冷媒の旋回流を形成させ、
前記アンモニア冷媒と被冷却媒体との間の熱伝達性能を向上させるように構成したことを特徴とする乾式蒸発器。
【請求項２】
前記ワイヤの直径が伝熱管内径の０．１２〜０．２０倍であり、且つワイヤコイルのピッチがワイヤ直径の１０〜２０倍であるワイヤコイルを伝熱管内面に接するように配置し、伝熱管の内面に沿うアンモニア液の旋回流を形成させることを特徴とする請求項１に記載の乾式蒸発器。
【請求項３】
前記ワイヤコイルのピッチを前記伝熱管の下流側ほど大きくしたことを特徴とする請求項２に記載の乾式蒸発器。
【請求項４】
アンモニアを冷媒とし、アンモニアに対し非溶解性の潤滑油を用いてヒートポンプサイクルを構成するヒートポンプ装置に組み込まれ、伝熱管内にアンモニア冷媒を流し、伝熱管外側の被冷却媒体を冷却する既設乾式蒸発器のＣＯＰ改善方法において、
既設の乾式蒸発器に設けられ、アンモニア冷媒を流す伝熱管の全域で、伝熱管の内径より小さい外径を有するワイヤを螺旋形状にしてなるワイヤコイルを伝熱管内に配置する第１工程と、
前記ヒートポンプ装置の運転時における、前記乾式蒸発器内部のアンモニア冷媒の伝熱管内部の流れ状態が、アンモニア冷媒が気相と液相とに分離され該液相が管底部で層流状態となる気液２層流を形成されている状態で、前記ワイヤコイルによって伝熱管内にアンモニア冷媒の旋回流を形成させる第２工程とを具えたことを特徴とする既設乾式蒸発器のＣＯＰ改善方法。
【請求項５】
前記第１工程が、前記ワイヤの直径が伝熱管内径の０．１２〜０．２０倍であり、且つワイヤコイルのピッチがワイヤ直径の１０〜２０倍であるワイヤコイルを伝熱管内面に接するように配置する工程であり、
前記第２工程が前記気液２層流に、前記ワイヤコイルによって伝熱管内にアンモニア冷媒の旋回流を形成させる工程である請求項４に記載の既設乾式蒸発器のＣＯＰ改善方法。
【発明の詳細な説明】
【技術分野】
【０００１】
本発明は、アンモニア冷媒を用いたヒートポンプ装置に組み込まれ、アンモニア冷媒と被冷却媒体との伝熱性能を飛躍的に向上させ、ヒートポンプ装置の能力とＣＯＰを向上させた乾式蒸発器、及び既設乾式蒸発器を改造し、伝熱性能を向上させることで、ＣＯＰを向上可能にした既設乾式蒸発器のＣＯＰ改善方法に関する。
【背景技術】
【０００２】
冷凍サイクルを構成する冷凍装置、及び蒸発器の冷却機能に加えて、凝縮器より熱を取り出すヒートポンプサイクルを構成するヒートポンプ装置では、冷媒として代替フロンが広く使用されている。しかし最近では、代替フロンが地球温暖化の要因の一つとなっている影響で、多くの冷凍装置で自然冷媒のアンモニアが見直されて来ている。
【０００３】
蒸発器には、冷媒保有量が多い満液式蒸発器（伝熱管外蒸発）と、冷媒保有量が少ない乾式蒸発器（伝熱管内蒸発）の２種類があり、伝熱性能の優れた満液式蒸発器が一般的に使用されてきた。しかし、近年では、環境問題や安全性の点から、冷媒保有量が少ない乾式蒸発器が多く使用されている。特に、毒性及び可燃性を有するアンモニア冷媒はその傾向が強い。
【０００４】
代替フロンを使用するときの乾式蒸発器用伝熱管は、伝熱特性の優れた内面溝付き管（Ｃｕ系伝熱管）が多く採用され、このため、蒸発器の小型化が可能になった。ところが、アンモニアを冷媒とする冷凍装置等の伝熱管は、腐食問題でＣｕ系伝熱管を使用できず、一般的にＳＵＳ製伝熱管が使用されている。ＳＵＳ製伝熱管はＣｕ系伝熱管と比べ硬度が大きく、内面溝付き管の加工が難しい。そのため、裸管で使用されているのが一般的である。従って、代替フロンを用いた同一冷却能力の乾式蒸発器と比較して、伝熱管長を大きくする必要があり、乾式蒸発器のサイズが大型化している。
【０００５】
そのため、アンモニア冷媒を用いた冷凍装置等では、伝熱性能を向上して乾式蒸発器の小型化を図ることが望まれている。多管式シェルアンドチューブ型乾式蒸発器で、蒸発管のパス数の決め方は、圧縮機で同一性能である代替フロン２２（ＨＣＦＣ−２２）と略同一である。また、蒸発器出口ガス流速が９〜１５ｍ／ｓとなるように設計されるのが一般的であった。熱交換器の伝熱管の熱伝達性能を高める手段として、例えば、特許文献１に、伝熱管の内部に、伝熱面積を増大させるワイヤ螺旋体を設け、熱伝達性能を高めることが開示されている。
【０００６】
特許文献２には、アンモニア冷媒が圧縮機の潤滑油として使用される鉱物油がアンモニア冷媒に対して非溶解性であることに起因する問題が開示されている。即ち、潤滑油がアンモニア冷媒に同伴しないため、蒸発器の伝熱管等に滞留して伝熱効率を低下させる。そのため、圧縮機吐出側等、各所に油分離器を設け、冷凍機油を回収する必要があり、構成が複雑化する、等の問題がある。特許文献２のアンモニア冷凍装置は、アンモニア冷媒と相溶性のエーテル化合物を基油とした潤滑油とアンモニア冷媒とを混合した作動流体組成物を潤滑油として用いるものである。これによって、非溶解性に起因した前記問題を解消したものである。
【０００７】
特許文献３に開示された満液式冷却器は、圧縮機の潤滑油にアンモニア冷媒と非溶解性の鉱物油を使用するアンモニア冷媒の冷凍装置に関する。この冷凍装置は、直立冷媒液分離供給管を備えた満液式冷却器を用いて、満液式におけるアンモニア冷媒の充てん量を最小にするとともに、非溶解性の鉱物系潤滑油を圧縮機に容易に還流可能にしたものである。
【０００８】
特許文献４には、遠洋鰹釣り漁船の活餌装置に組み込まれ、アンモニア冷媒と−２０℃のＮａＣｌブラインを用いた冷凍装置が開示されている。
【先行技術文献】
【特許文献】
【０００９】
【特許文献１】特公昭４７−３３０８７号公報
【特許文献２】国際公開第９４／０１２５９４号
【特許文献３】特開２０００−０７４５０９号公開公報
【特許文献４】特開２０１０−０５１２３６号公開公報
【発明の概要】
【発明が解決しようとする課題】
【００１０】
アンモニア冷媒の蒸発潜熱は代替フロンＨＣＦＣ−２２の約６倍大きく、そのため、同一熱負荷に対して、乾式蒸発器を流れる質量冷媒量が約１／６と少ない。従って、シェルアンドチューブ型乾式蒸発器では、蒸発管のパス数の決め方をＨＣＦＣ−２２と同じように設計すると、蒸発管内で液とガスとが上下に２層に分離して、液は管底部で層流状態となる。即ち、蒸発管の側部や上部はアンモニア液で濡れない状態となるため、伝熱性能が低下し、冷却能力が計算値を大きく下回る。
【００１１】
乾式蒸発器内部のアンモニア冷媒の流れ状態は、流速が速くなると、２層流から、アンモニア液が蒸発管の内面全周に接し、中心領域がガス相となる環状流となる。環状流になると、伝熱性能が向上するので、乾式蒸発器における蒸発管側パス数の決め方は、最終パスの出口ガス流速を９〜１５ｍ／ｓではなく、環状流となるように設定する必要がある。即ち、蒸発管のパス数を２倍以上に増やして、流速を大きくする必要がある。しかし、既設の乾式蒸発器のパス数を変更することは、工事費用が増大すると共に、スペースの関係で改造が困難な場合がある。
【００１２】
特許文献２に開示されたアンモニア冷凍装置は、相溶性の作動流体組成物を得るために特定の構造のエーテル化合物を用意する必要がある。ＰＡＧ油などアンモニア冷媒に相溶性の潤滑油は、湿気を吸い込みやすく、水分等が混入すると劣化しやすく、長期保存が容易ではない。また、不溶性油より高価である。そのため、長期に海上を航行する船舶や長期に操業する漁船に搭載された冷凍装置では、必要な時に必要な量の確保、及び品質の維持のための貯蔵管理ができないという問題がある。
【００１３】
アンモニア冷媒にはＰＡＧ油など相溶性の潤滑油もあるが、前記理由から、アンモニア冷媒と非溶解性の鉱物油を使用したほうが入手の容易性と品質の安定性を確保できる。しかし、前述のように、不溶性油が乾式蒸発器を流れると、伝熱管内に不溶性油が溜まり、極端に伝熱性能を低下させるという問題がある。
【００１４】
特許文献３に開示された満液式冷却器は、アンモニア冷媒が重力供給方式となっており、この満液式冷却器が船舶に搭載されたとき、船体がローリング、ピッチング及びヨーイングと運動する船舶では、前記冷凍装置は水平を維持することができず、アンモニア冷媒と潤滑油との分離が阻害されるという問題がある。
【００１５】
本発明は、かかる従来技術の課題に鑑み、アンモニア冷媒を使用し、アンモニア冷媒を非溶解性の潤滑油を使用する乾式蒸発器において、アンモニア冷媒に対する鉱物油の非溶解性に起因する伝熱効率の低下を解決することを第１の目的とする。また、低コストで、冷却能力が高く、かつＣＯＰを向上させて消費電力を低減できる乾式蒸発器を実現することを第２の目的とする。さらに、既設の乾式蒸発器を簡単かつ低コストに改造して伝熱性能を向上させ、ＣＯＰを向上させることを第３の目的とする。
【課題を解決するための手段】
【００１６】
かかる目的を達成するため、本発明の乾式蒸発器は、アンモニアを冷媒とし、アンモニアに対し非溶解性の潤滑油を用いてヒートポンプサイクルを構成するヒートポンプ装置に組み込まれ、伝熱管内にアンモニア冷媒を流し、伝熱管外側の被冷却媒体を冷却する乾式蒸発器において、
前記乾式蒸発器の伝熱管内部のアンモニア冷媒の流れ状態が、該アンモニア冷媒を気相と液相とに分離して前記液相が伝熱管底部で層流状態となる気液２層流が形成されているとともに、該伝熱管の内径より小さい外径を有するワイヤを螺旋形状にしてなるワイヤコイルを前記気液２層流を形成する伝熱管全域に配置し、前記ワイヤコイルによって前記伝熱管内の前記気液２層流にアンモニア冷媒の旋回流を形成させ、
前記アンモニア冷媒と被冷却媒体との間の熱伝達性能を向上させるように構成したものである。
【００１７】
乾式蒸発器の伝熱管内で、アンモニア冷媒が気相と液相とに分離した二層流を形成すると、アンモニア液は伝熱管内の底部を流れ、伝熱管の側部や上部はアンモニア液で濡れない状態となる。また、伝熱管の底部に不溶性油が溜まり易い。そのため、伝熱性能が低下する。そこで、気液二層流を形成する伝熱管全域にワイヤコイルを設けると、アンモニア冷媒がワイヤコイルに当って乱流を起すと共に、伝熱管内で底部を流れているアンモニア液がワイヤコイルに沿って旋回する。これによって、蒸発管内の管側面及び管頂面がアンモニア冷媒で濡れ、設計総括伝熱係数（Ｋ値、所謂熱通過率ｋｃａｌ／ｍ２ｈ℃）の大幅な増加が可能になる。
【００１８】
このように、ワイヤコイルを設けただけの簡単な手段で、アンモニア冷媒と被冷却媒体との間の熱伝達性能を向上できる。これによって、アンモニア液の蒸発が促進され、乾式蒸発器の冷却能力を増大できる。また、アンモニア冷媒の蒸発温度が上昇するので、ヒートポンプ装置のＣＯＰを向上できる。乾式蒸発器では、蒸発管の略全長に亘り気液二層流が形成されるので、ワイヤコイルを蒸発管の全長に亘り配置するのが効果的である。
【００１９】
本発明では、不溶性油を用いても、ワイヤコイルを設けることで、伝熱性能を向上できる。そのため、不溶性油を用いる利便性を確保できる。なお、伝熱管内を流れるアンモニア冷媒量が多く、高質量速度となった場合、伝熱管内の流れは環状流となる。この状態で伝熱管内にワイヤコイルを配置すると、強制旋回流による伝熱性能は約２０〜３０％程度増加するが、管内の圧力損失が増加するため、逆に冷却能力が低下する。特に、アンモニア冷媒の蒸発温度が低いとき、圧力損失が増加する。
【００２０】
本発明において、前記ヒートポンプ装置が、漁船に搭載された捕獲魚の冷凍保存用冷凍装置であり、前記被冷却媒体が２２．０〜２３．５重量％の濃度をもつＮａＣｌブラインであるとよい。濃度が２２．０〜２３．５重量％のＮａＣｌブラインを用いることで、ブライン温度を−２１℃まで冷却できる。そのため、捕獲した魚を最適冷凍保存温度である−１９℃以下に保持できる。従って、特に漁船に搭載された捕獲魚の冷凍保存用冷凍装置の直膨式ブラインクーラーに適用されて好適である。なお、ＮａＣｌブラインの濃度が前記範囲を外れると、ＮａＣｌブラインを−１９℃以下に冷却できない。
【００２１】
しかし、ＮａＣｌブラインの温度が−２１．２℃以下になると、ＮａＣｌブラインが凍結して管壁に結晶が析出し、伝熱性能が極端に低下する。そのため、アンモニア冷媒の蒸発温度を高め、ＮａＣｌブラインの温度を前記凍結温度以上に調整する必要がある。本発明では、伝熱性能を向上できるので、蒸発温度を高くするのが容易であり、ＮａＣｌブラインを凍結温度以上に保持し、ＮａＣｌブラインの凍結を防止するのが容易である。
【００２２】
本発明において、ワイヤコイルの外径を伝熱管の内径に合わせて形成し、ワイヤコイルを伝熱管内面に接するように配置する。これによって、伝熱管内の底部を流れるアンモニア液に対して確実に乱流を形成できると共に、アンモニア液の伝熱管内面に沿う旋回流を形成できる。そのため、伝熱管内の側面及び頂面をアンモニア冷媒で確実に濡らすことができるので、アンモニア液と被冷却媒体との熱伝達性能をさらに高めることができる。
【００２３】
本発明において、ワイヤコイルを形成するワイヤの直径が蒸発管内径の０．１２〜０．２０倍であり、ワイヤコイルのピッチがワイヤ直径の１０〜２０倍であるとよい。ワイヤコイルを設けることで、蒸発管内の圧力損失が増加する。即ち、ワイヤの直径が大きく、かつワイヤコイルのピッチが小さいほど、相当直径（＝４×流路体積／濡れ縁面積）が小さくなり、ワイヤコイルの設置に伴う圧力損失は増加する。本発明者等は、実験により、ワイヤの直径とワイヤコイルのピッチとを前記数値範囲とすることで、伝熱管内の圧力損失を最低に抑えることができることを見い出した。
【００２４】
また、さらに加えて、ワイヤコイルのピッチを伝熱管の下流側ほど大きくするとよい。伝熱管の下流側ほどアンモニア冷媒の乾き度が上昇して、管内を流れるアンモニア冷媒のガス流速が速くなる。そのため、ワイヤコイルのピッチを下流側ほど大きくすることで、圧力損失を抑えることができる。
【００２５】
また、本発明の既設乾式蒸発器のＣＯＰ改善方法は、  アンモニアを冷媒とし、アンモニアに対し非溶解性の潤滑油を用いてヒートポンプサイクルを構成するヒートポンプ装置に組み込まれ、伝熱管内にアンモニア冷媒を流し、伝熱管外側の被冷却媒体を冷却する既設乾式蒸発器のＣＯＰ改善方法において、
既設の乾式蒸発器に設けられ、アンモニア冷媒を流す伝熱管の全域で、伝熱管の内径より小さい外径を有するワイヤを螺旋形状にしてなるワイヤコイルを伝熱管内に配置する第１工程と、
前記ヒートポンプ装置の運転時における、前記乾式蒸発器内部のアンモニア冷媒の伝熱管内部の流れ状態が、アンモニア冷媒が気相と液相とに分離され該液相が管底部で層流状態となる気液２層流を形成されている状態で、前記ワイヤコイルによって伝熱管内にアンモニア冷媒の旋回流を形成させる第２工程とを具えたことにある。
【００２６】
本発明方法によれば、気液二層流を形成して、アンモニア液と被冷却媒体との熱伝達性能が低下する伝熱管の全域にワイヤコイルを設けることで、熱伝達性能を向上できる。これによって、乾式蒸発器でのアンモニア冷媒の蒸発を促進でき、乾式蒸発器の冷却能力を向上できる。また、熱伝達性能を向上することで、アンモニア冷媒の蒸発温度を高めることができるので、ヒートポンプ装置のＣＯＰも向上できる。また、既設の乾式蒸発器の伝熱管に、前記構成のワイヤコイルを設けるだけの極めて簡単かつ低コストな改造で、アンモニア冷媒と被冷却媒体との熱伝達性能を向上できる。
【００２７】
本発明方法において、ヒートポンプ装置が冷凍サイクルを構成し漁船に搭載された捕獲魚の冷凍保存用冷凍装置であり、被冷却媒体が２２．０〜２３．５重量％の濃度をもつＮａＣｌブラインであり、前記第２工程において、蒸発温度をＮａＣｌブラインの凍結温度の近傍でかつ該凍結温度の直高温側温度領域に保持して、ＮａＣｌブラインの凍結を防止するようにするとよい。これによって、簡単かつ低コストな改造で、ＮａＣｌブラインを凍結温度（−２１．２℃）に近くかつ捕獲魚の鮮度を良好に保持可能な−１９℃以下の冷凍温度に冷却できるので、漁船に搭載された冷凍装置に好適である。
【００２８】
本発明方法において、ワイヤコイルの外径を伝熱管の内径に合わせて形成し、ワイヤコイルを伝熱管内面に接するように配置し、伝熱管の内面に沿うアンモニア液の旋回流を形成させるとよい。これによって、伝熱管内の底部を流れるアンモニア液に対して確実に乱流を形成できると共に、アンモニア液の伝熱管内面に沿う旋回流を形成できる。そのため、伝熱管内の側面及び頂面をアンモニア冷媒で確実に濡らすことができるので、アンモニア液と被冷却媒体との熱伝達性能をさらに高めることができる。
【発明の効果】
【００２９】
本発明の乾式蒸発器によれば、アンモニアを冷媒とし、アンモニアに対し非溶解性の潤滑油を用いてヒートポンプサイクルを構成するヒートポンプ装置に組み込まれ、伝熱管内にアンモニア冷媒を流し、伝熱管外側の被冷却媒体を冷却する乾式蒸発器において、アンモニア冷媒が気相と液相とに分離した二層流を形成した伝熱管の全域で、該伝熱管の内径より小さい外径を有するワイヤを螺旋形状にしてなるワイヤコイルを伝熱管内に配置し、該ワイヤコイルによって蒸発管内にアンモニア冷媒の旋回流を形成させ、アンモニア冷媒と被冷却媒体との間の熱伝達性能を向上させるように構成したので、圧縮機の潤滑油としてアンモニア冷媒に非溶解性の鉱物油を使用することで、潤滑油の入手の容易性と品質の安定性を確保するとともに、ワイヤコイルを設けることで、アンモニア冷媒に対する鉱物油の非溶解性に起因する伝熱効率の低下を解決でき、逆に総括伝熱係数（Ｋ値）を大幅に増加できる。また、低コストで、かつ冷却能力が高く、ＣＯＰを向上させて消費電力を低減できる乾式蒸発器を実現できる。
【００３０】
また、本発明方法によれば、アンモニアを冷媒とし、アンモニアに対し非溶解性の潤滑油を用いてヒートポンプサイクルを構成するヒートポンプ装置に組み込まれ、伝熱管内にアンモニア冷媒を流し、伝熱管外側の被冷却媒体を冷却する既設乾式蒸発器のＣＯＰ改善方法において、既設の乾式蒸発器に設けられ、アンモニア冷媒が気相と液相とに分離した二層流を形成した伝熱管の全域で、伝熱管の内径より小さい外径を有するワイヤを螺旋形状にしてなるワイヤコイルを伝熱管内に配置する第１工程と、ヒートポンプ装置の運転時に、該ワイヤコイルによって伝熱管内にアンモニア冷媒の旋回流を形成させ、アンモニア冷媒と被冷却媒体との熱伝達性能を向上させると共に、ヒートポンプ装置のＣＯＰを向上させる第２工程と、からなるので、ワイヤコイルを設けるだけの極めて簡単かつ低コストな改造で、アンモニア冷媒と被冷却媒体との熱伝達性能を向上できる。これによって、乾式蒸発器の冷却能力を高め、かつアンモニア冷媒の蒸発温度を高めることで、ヒートポンプ装置のＣＯＰを向上させて消費電力を低減できる乾式蒸発器を実現できる。
【図面の簡単な説明】
【００３１】
【図１】本発明の乾式蒸発器を冷凍装置に組み込んだ一実施形態の基本構成図である。
【図２】前記冷凍装置のブロック線図である。
【図３】前記冷凍装置に組み込まれた乾式蒸発器の一部断面正面図である。
【図４】図３中のＡ―Ａ線に沿う側面視断面図である。
【図５】前記乾式蒸発器の伝熱管の正面視断面図である。
【図６】前記冷凍装置の蒸発温度と冷却能力及びＣＯＰとの関係を示す線図である。
【図７】前記冷凍装置のＮａＣｌブライン出口温度と蒸発温度との関係を示す線図である。
【図８】前記冷凍装置のＮａＣｌブライン出口温度と総括伝熱係数（Ｋ値）との関係を示す線図である。
【図９】前記冷凍装置のＮａＣｌブライン出口温度と冷却能力との関係を示す線図である。
【図１０】前記冷凍装置のＮａＣｌブライン出口温度とＣＯＰとの関係を示す線図である。
【図１１】前記冷凍装置のＮａＣｌブライン出口温度と各種性能値との関係を示す線図である。
【図１２】別な運転条件における前記冷凍装置のＮａＣｌブライン出口温度と各種性能値との関係を示す線図である。
【図１３】水平管内の流れの様式を示す断面図である。
【図１４】水平管内の流れの様式分布を示す線図である。
【図１５】別な運転条件における水平管内の流れの様式分布を示す線図である。
【発明を実施するための形態】
【００３２】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００３３】
本発明を、冷凍サイクルを構成する冷凍装置に組み込んだ乾式蒸発器に適用した一実施形態を図１〜図１２に基づいて説明する。図１は本実施形態に係る冷凍装置１０の基本構成図である。図１において、アンモニア冷媒が循環する冷媒循環路１２に、圧縮機１４と、凝縮器１６と、膨張弁１８と、乾式蒸発器（ブラインクーラー）２０とが介設されている。アンモニア冷媒は矢印方向に循環する。
【００３４】
圧縮機１４の吐出側に油分離器２２が設けられ、水冷式凝縮器１６の下流側に受液器２４が設けられている。膨張弁１８の上流側に冷媒循環路１２を開閉する給液電磁弁２６が設けられ、乾式蒸発器２０の下流側に、冷媒圧力を検出する圧力センサＰ、冷媒温度を検出する温度センサＴ、及びガス過熱度調整器２８が設けられている。ガス過熱度調整器２８は、これらセンサで検出された圧力及び温度から、アンモニア冷媒の過熱度を算出し、膨張弁１８を制御して乾式蒸発器２０の出口側過熱度を調整する。
【００３５】
図２は、冷凍装置１０の全体構成図である。図２において、圧縮機１４から吐出された高圧アンモニアガスは、油分離器２２で潤滑油である不溶性油（鉱物油）を分離した後、ラインａから水冷式凝縮器１６に流入する。アンモニアガスは水冷式凝縮器１６の冷却水で凝縮されて液化する。凝縮されたアンモニア液は、ラインｂを通り、受液器２４及び給液電磁弁２６を経て、膨張弁１８で減圧される。減圧された湿り冷媒液は、ラインｃから乾式蒸発器２０の伝熱管内を流れる際、乾式蒸発器２０のシェル側を流れるＮａＣｌブライン（濃度２３ｗ％）を冷却する。
【００３６】
乾式蒸発器２０で、アンモニア液はＮａＣｌブラインと熱交換し、ＮａＣｌブラインから顕熱を奪って蒸発し、ラインｄに流出する。ラインｄを流れるアンモニアガスの圧力は圧力発信器Ｐ１で検出され、温度は測温抵抗体Ｔ１で検出される。ガス過熱度調整器２８は、これらの検出値からアンモニアガスの過熱度を算出し、設定過熱度となるように、膨張弁１８の開度を調整する。ラインｄの低圧アンモニアガスは、圧縮機１４に吸引され、高圧ガスとなって圧縮機１４から吐出される。
【００３７】
水冷式凝縮器１６でアンモニアガスと熱交換し加熱された冷却水は、ラインｆを通り、熱交換器３０で第２ブライン（エチレングリコール＋防錆剤）と熱交換し冷却される。冷却された冷却水は、ラインｇから冷却水タンク３２に戻る。冷却水タンク３２内の冷却水は、ポンプ３４で三方弁３６を経てクーリングタワー３８に送られる。クーリングタワー３８で、冷却水は外気との熱交換で加熱され、ラインｒから冷却水タンク３２に戻る。冷却水タンク３２では、測温抵抗体Ｔ２で冷却水の温度を検出し、クーリングタワー３８のファン回転制御と三方弁３６の制御とで、冷却水の温度を制御する。冷却水温の制御により、水冷式凝縮器１６のアンモニアガスの凝縮温度を設定温度に保持する。設定温度となった冷却水は、ポンプ４０でラインｅを介し、水冷式凝縮器１６に送られる。
【００３８】
乾式蒸発器２０で冷却されたＮａＣｌブラインは、ラインｐを介しブラインタンク４２に送られ、一旦貯留される。ブラインタンク４２のＮａＣｌブラインは、ポンプ４４でラインｎから熱交換器４６に送られ、そこで第２ブラインと熱交換し加熱される。熱交換器４６で冷却された第２ブラインは、ラインＬからブラインタンク４８に送られ、そこで一旦貯留され、再び熱交換器４６に送られる。ブラインタンク４８に貯留された第２ブラインは、ポンプ５０で熱交換器３０に送られると共に、ポンプ５２でラインｋを通り熱交換器４６に送られる。測温抵抗体Ｔ３でブラインタンク４８内の第２ブラインの温度を検出している。熱交換器３０に送られる第２ブラインの流量は、第２ブラインの温度に基づいて、三方弁５４で制御され、熱交換器４６に送られる第２ブラインの流量は三方弁５６で制御される。
【００３９】
一方、乾式蒸発器２０へ流れるＮａＣｌブラインの温度は、熱交換器４６の出口側ラインｏに設けられた測温抵抗体Ｔ４で検出される。この検出値に基づいて三方弁５６を制御することで、乾式蒸発器２０へ流れるＮａＣｌブラインの温度を制御する。該検出値が設定温度より高いとき、ブラインタンク４８から熱交換器４６に送る第２ブラインの流量を低減する。即ち、熱交換器４６からラインＬを通り、ラインｍから三方弁５６に流れる流量を増加するようにする。
【００４０】
このように、水冷式凝縮器１６でアンモニアガスを冷却する冷却水をＮａＣｌブラインがもつ冷熱で冷却する場合に、冷却水をＮａＣｌブラインで直接冷却することなく、第２ブラインを介して冷却することで、冷却水の凍結を防止する。第２ブラインの温度は常に０℃以上に保持される。なお、ラインｃの冷媒の圧力は圧力発信器Ｐ２で検出される。ラインｏから乾式蒸発器２０に流入するＮａＣｌブラインの圧力は圧力発信器Ｐ３で検出され、温度は測温抵抗体Ｔ５で検出される。ラインｐのＮａＣｌブラインの出口温度は測温抵抗体Ｔ６で検出される。
【００４１】
本実施形態では、ブラインタンク４２に貯留されたＮａＣｌブラインの温度は−１９℃に保持されている。この温度に保持されたＮａＣｌブラインで被冷却物を冷却する。−１９℃に保持されたＮａＣｌブラインは、漁船で捕獲した魚を冷凍保存する場合、魚の鮮度を高めるのに最適の温度である。そのため、本実施形態の冷凍装置１０を漁船に搭載される冷凍装置に適用して好適である。
【００４２】
次に、図３〜図５により、本実施形態の乾式蒸発器２０の構成を説明する。図３において、乾式蒸発器２０は多管式の横型シェルアンドチューブ型熱交換器であり、チューブ側（管側）にアンモニア冷媒が、シェル側（胴側）にＮａＣｌブラインが循環する。中央胴部６０の両側に配置された端側胴部６２及び６４で構成されている。中央胴部６０の両端には管板６６及び６８が一体形成され、管板６６、６８間に多数の伝熱管７０が架設されている。伝熱管７０はＳＵＳ製の裸管で構成され、その内部には、伝熱管７０の全長に亘りワイヤコイル７２が配設されている。
【００４３】
左端側胴部６２にフランジ６２ａが一体形成され、右端側胴部６４にはフランジ６４ａが一体形成されている。フランジ６２ａが管板６６とボルト結合され、フランジ６４ａが管板６８にボルト結合されている。左端側胴部６２には、下部に入口管７４が接続され、上部に出口管７６が接続されている。左端側胴部６２の内部は、仕切壁７８で５つの領域に分割され、右端側胴部６４は仕切壁８０で４つの領域に分割されている。仕切壁７８と仕切壁８０とは、交互に高さをずらして配置されている。これによって、図４に示すように、伝熱管７０は、流れの方向が交互に逆となる８個の管側パス領域Ｒ１〜Ｒ８に分割されている。
【００４４】
そのため、入口管７４から流入したアンモニア冷媒Ｎは、流れ方向を８回交互に変えながら（８パス）、左右端側胴部６２及び６４を経由し、上方に配置された伝熱管７０に順々に流入し、その後出口管７６から流出する。中央胴部６０の両端側上部には、ＮａＣｌブラインＢが流入する入口管８２及びＮａＣｌブラインＢが流出する出口管８４が設けられている。また、中央胴部６０には、中央胴部６０に流入したＮａＣｌブラインＢが中央胴部６０の内部で蛇行するように、上下方向に複数の邪魔板８６が設けられている。邪魔板８６は、上方又は下方に交互にＮａＣｌブラインＢの流通路が形成される。
【００４５】
図５に示すように、ワイヤコイル７２は、円形断面をもち細径の鋼線ワイヤが伝熱管７０の内径に合わせて螺旋形状に形成されたものであり、外径側が伝熱管７０の内面に接するように配置されている。ワイヤコイル７２は伝熱管７０の全長に亘り配設されている。ワイヤコイル７２の外径Ｄは伝熱管７０の内径と略同一寸法で、例えば１７ｍｍであり、鋼線ワイヤの直径は例えば３ｍｍであり、ピッチＥは例えば４０ｍｍの寸法をもつ。
【００４６】
かかる構成において、入口管７４から左端側胴部６２に流入したアンモニア冷媒Ｎは、領域Ｒ１〜Ｒ８毎に矢印方向に交互に流れ方向を変えながら、伝熱管７０の内部を流れ、出口管７６から流出する。一方、ＮａＣｌブラインＢは、入口管８２から中央胴部６０に流入し、邪魔板８６に形成された蛇行流路を流れ、出口管８４から流出する。この間にアンモニア冷媒ＮとＮａＣｌブラインＢとが熱交換し、アンモニア冷媒ＮはＮａＣｌブラインＢから顕熱を奪って蒸発し、ＮａＣｌブラインＢは−１９℃に冷却される。
【００４７】
図１３に示すように、水平管９０内を流れる気液二相流の流れの様式は、流速が大きくなるに従って、気泡流から噴霧流まで順々に変化する。２層流及び波状流では、気相ｆ１と液相ｆ２とが完全に分離している。図１４及び図１５は、夫々蒸発器における伝熱管内での流れの状態を計算によって求めたものである。即ち、まず気体を空気とし、液体を水として計算し、パラメータη及びψを用い、空気をアンモニアガスに変換し、水をアンモニア液に変換している。図１４は、運転条件が、８パス、蒸発温度Ｔｅ＝−１０℃、冷媒量Ｗ＝４０９．５ｋｇ／ｈ、冷却能力Ｑ＝１０６．４Ｍｃａｌ／ｈの場合であり、図１５は、運転条件が、８パス、蒸発温度Ｔｅ＝−２０℃、冷媒量Ｗ＝２２０．９ｋｇ／ｈ、冷却能力Ｑ＝５６．７Ｍｃａｌ／ｈの場合である。
【００４８】
例えば、図１４に示す運転条件の下で、入口乾き度＝０．１６、出口乾き度＝０．８４、蒸発温度Ｔｅ＝−１０℃の飽和ガス比容積ｖ＝０．４１８ｍ３／ｋｇ、アンモニアガス密度ρｇ＝２．３９ｋｇ／ｍ３、アンモニア液密度ρｌ＝６５２ｋｇ／ｍ３、アンモニアの液表面張力σｌ＝２８．５ｄｙｅ／ｃｍ、アンモニア液粘度μｌ＝０．１９Ｃｐ、水の粘度μｗ＝１．０Ｃｐ、空気密度ρａ＝１．２０ｋｇ／ｍ３、水密度ρｗ＝１，０００ｋｇ／ｍ３、水の液表面張力σｗ＝７３ｄｙｅ／ｃｍのとき、
η＝［（ρｇ／ρａ）（ρｌ／ρｗ）］０．５
＝［（２．３９／１．２）（６５２／１，０００）］０．５＝１．１４
ψ＝（σｗ／ρｌ）［（μｌ／μｗ）（ρｗ／ρｌ）］１／３
＝（７３／２８．５）［（０．１９／１．０）（１，０００／６５２）］１／３
＝１．７０
となる。
【００４９】
また、図１４及び図１５中、Ｇｌ及びＧｇは、アンモニア液及びアンモニアガスの質量流速（ｋｇ／ｍ２・ｈ）であり、○は伝熱管入口、□は伝熱管出口、○又は□に付された数値は伝熱管７０が配置されたパス領域Ｒ１〜Ｒ８の数値を示す。図１４及び図１５から、蒸発管の内部で、アンモニア冷媒は、気液が分かれた２層流又は波状流となることがわかる。
【００５０】
本実施形態によれば、伝熱管７０の全域に亘り、ワイヤコイル７２を配設しているので、上下に分かれて層状に流れるアンモニアガス及びアンモニア液に乱流を生ぜしめ、かつアンモニア液によるワイヤコイル７２に沿う旋回流ｓ（図５参照）を生ぜしめる。その結果、下層域で流れるアンモニア液を上方へ旋回させ、伝熱管内面の側面及び上面をアンモニア液で濡らすので、アンモニア冷媒ＮとＮａＣｌブラインＢとの熱伝達性能を向上できる。
【００５１】
しかも、ワイヤコイル７２をアンモニア冷媒の気液が分離した２層流を形成している伝熱管７０の全域に配置し、かつワイヤコイル７２の外側が伝熱管７０の内面に接するように配置しているので、伝熱管７０の全域で伝熱管７０の底部を流れるアンモニア液に確実に旋回流ｓを形成できる。また、この旋回流ｓを確実に伝熱管内面に接触させることができるので、アンモニア冷媒ＮとＮａＣｌブラインＢとの熱伝達性能をさらに向上できる。
【００５２】
図６は、本実施形態の冷凍装置１０における乾式蒸発器２０の蒸発温度Ｔｅと冷却能力及びＣＯＰとの関係を示す線図である。図中、「ＴＢ２」とは乾式蒸発器２０の出口でのＮａＣｌブラインの温度を示し、黒丸●はワイヤコイル７２を設けた本実施形態であり、白丸○はワイヤコイル７２を設けない比較例である。本実施形態及び比較例は、どちらも不溶性油（鉱物油）の混入量は全伝熱管内容積の４．５ｖ％である。図からわかるように、ワイヤコイル７２を設けることで、乾式蒸発器２０の蒸発温度Ｔｅが上昇すると共に、冷凍装置１０の冷却能力及びＣＯＰが向上している。
【００５３】
図７〜図１０は、本実施形態（ワイヤコイル７２を設けた場合）及び比較例（ワイヤコイル７２を設けない場合）の性能比較を示す線図である。図中の記号の意味は次の通りである。
［比較例］
○・・・・ワイヤコイルなし。冷凍機油ほとんどなし。
●・・・・ワイヤコイルなし。冷凍機油は全伝熱管内容積の４．５ｖ％混入。
［本発明］
□・・・・ワイヤコイルあり（１〜８パスに設置）。冷凍機油は全伝熱管内容積の１．４ｖ％混入。
■・・・・ワイヤコイルあり（１〜８パスに設置）。冷凍機油は全伝熱管内容積の４．５ｖ％混入。
△・・・・ワイヤコイルあり（１〜７パスに設置）。冷凍機油は全伝熱管内容積の１．４ｖ％混入。
▲・・・・ワイヤコイルあり（１〜７パスに設置）。冷凍機油は全伝熱管内容積の４．５ｖ％混入。
【００５４】
図１１は、黒丸●の運転条件の場合と、黒四角■の運転条件の場合を比較し、前者に対して後者の性能がどれだけ向上したかを示すものである。図１２は、白丸○の運転条件に対して、白四角□の運転条件の場合（図中実線で示す。）及び白△の運転条件の場合（図中破線で示す。）にどれだけ性能が向上したかを示すものである。図１１及び図１２から、本実施形態のとき、総括伝熱係数（Ｋ値）、冷却能力Ｑ、ＣＯＰ及び乾式蒸発器２０の蒸発温度Ｔｅが共に大きく上昇していることがわかる。
【００５５】
即ち、本発明の乾式蒸発器２０では、比較例と比べて、総括伝熱係数（Ｋ値）が約２．５〜３．５倍に上昇し、乾式蒸発器２０の蒸発温度Ｔｅが約４〜８．５℃上昇している。また、乾式蒸発器２０の冷却能力が、比較例と比べて、約１．５〜１．９倍上昇し、冷凍装置１０のＣＯＰが約１．２〜１．５倍上昇している。
【００５６】
本実施形態によれば、濃度が２３ｗ％のＮａＣｌブラインを用いているので、ＮａＣｌブラインを捕獲魚の冷凍保存に最適な−１９℃以下に冷却できる。また、乾式蒸発器２０の蒸発温度ＴｅをＮａＣｌブラインの凍結温度である−２１℃まで下げないようにしているので、ＮａＣｌブラインが凍結して極端に冷却能力が低下するのを防止できる。そのため、漁船に搭載する冷凍装置に用いれば、捕獲魚を長期に新鮮な状態で保存できる。
【００５７】
また、本発明者等は、各種運転条件で実験を行い、ワイヤコイル７２を形成する鋼線ワイヤの直径が伝熱管内径（＝ワイヤコイル７２の外径Ｄ）の０．１２〜０．２０倍であり、コイルピッチEがワイヤコイル７２の直径Dの１０〜２０倍であるとき、伝熱管７０の内部圧力損失を最低に抑えることができることを見い出した。本実施形態では、鋼線ワイヤの直径３ｍｍ／出口管６４０の外径＝３ｍｍ／１７ｍｍ＝０．１７６であり、ワイヤコイル７２のピッチＥ／鋼線ワイヤの直径＝４０ｍｍ／３ｍｍ＝１３．３である。そのため、本実施形態の伝熱管７０の内部圧力損失を最低限に抑えることができる。
【００５８】
なお、本実施形態で、アンモニア冷媒の流れ方向下流側に位置する伝熱管７０ほど、ワイヤコイル７２のピッチＥを大きくするとよい。伝熱管７０の下流側ほどアンモニア冷媒の乾き度が上昇して、伝熱管７０内を流れるアンモニア冷媒のガス流速が速くなる。そのため、ワイヤコイル７２のピッチを下流側ほど大きくすることで、圧力損失を抑えることができる。
【００５９】
本発明方法は、既設の乾式蒸発器を改造してＣＯＰを改善するものである。即ち、前記実施形態を例に取って説明すれば、伝熱管７０にワイヤコイル７２が設けられていない既設の冷凍装置において、伝熱管７０の内部にワイヤコイル７２を設けるようにする。これだけの簡単かつ低コストな改造によって、アンモニア冷媒ＮとＮａＣｌブラインＢとの熱伝達性能を向上できる。即ち、乾式蒸発器２０の中央胴部６０の改造や仕切壁７８、８０の変更、あるいは伝熱管７０のパス数を変更する必要がない。
【００６０】
かかる簡易な改造によって、乾式蒸発器でのアンモニア冷媒の蒸発を促進でき、乾式蒸発器の冷却能力を向上できる。また、熱伝達性能を向上することで、アンモニア冷媒の蒸発温度を高めることができるので、ヒートポンプ装置のＣＯＰも向上させて消費電力を低減できる。かかる改造は、漁船に搭載された冷凍装置等に対しても同様に簡単に行なうことができる。
【産業上の利用可能性】
【００６１】
本発明によれば、アンモニア冷媒とアンモニア冷媒に対して非溶解性の潤滑油を使用するヒートポンプ装置において、簡単かつ低コストな手段で乾式蒸発器の熱伝達性能を向上でき、これによって、ヒートポンプ装置の能力とＣＯＰとを向上できる。
【符号の説明】
【００６２】
１０                        冷凍装置
１２                        冷媒循環路
１４                        圧縮機
１６                        水冷式凝縮器
１８                        膨張弁
２０                        乾式蒸発器（ブラインクーラ）
２２                        油分離器
２４                        受液器
２６                        給液電磁弁
２８                        ガス過熱度調整器
３０，４６                  熱交換器
３２                        冷却水タンク
３６，５４，５６            三方弁
３８                        クーリングタワー
４２，４８                  ブラインタンク
６０                        中央胴部
６２                        左端側胴部
６２ａ、６４ａ              フランジ
６４                        右端側胴部
６６，６８                  管板
７０                        伝熱管
７２                        ワイヤコイル
７４，８２                  入口管
７６，８４                  出口管
７８，８０                  仕切壁
９０                        水平管
Ｂ                          ＮａＣｌブライン
Ｎ                          アンモニア冷媒
Ｄ                          ワイヤコイル外径
Ｅ                          ワイヤコイルピッチ
Ｐ                          圧力センサ
Ｐ１〜Ｐ３                  圧力発信器
Ｒ１〜Ｒ８                    管側パス領域
Ｔ                          温度センサ
Ｔ１〜Ｔ６                  測温抵抗体
ＴＢ２                      ＮａＣｌブライン出口温度
ｆ１                        気相
ｆ２                        液相
ｓ                          旋回流
【図１】
0005777054.tif 000002
【図２】
0005777054.tif 000003
【図３】
0005777054.tif 000004
【図４】
0005777054.tif 000005
【図５】
0005777054.tif 000006
【図６】
0005777054.tif 000007
【図７】
0005777054.tif 000008
【図８】
0005777054.tif 000009
【図９】
0005777054.tif 000010
【図１０】
0005777054.tif 000011
【図１１】
0005777054.tif 000012
【図１２】
0005777054.tif 000013
【図１３】
0005777054.tif 000014
【図１４】
0005777054.tif 000015
【図１５】
0005777054.tif 000016